(57)【特許請求の範囲】
【請求項１】
プラグの接地極が挿入される栓刃挿入口と、外部アース線のアース線挿入口とを備え、当該栓刃挿入口から挿入した接地極に短絡する接地刃受けばねと、アース線挿入口から挿入した外部アース線を端子板と鎖錠部との間に結線するアースターミナルとを互いに連結し、それらの連結部が内部アースに接続されるコンセントにおいて、
前記アースターミナルを、端子板側パーツと鎖錠部側パーツとに分離して形成し、それらパーツの分離部分の一方に差込片を設けるとともに、他方にその差込片をばね力をもって挟持する受容部を設けて、それら差込片および受容部を介して端子板側パーツと鎖錠部側パーツとを相互に連結するように構成するとともに、
前記差込片および受容部を、コンセントへの取付状態において当該コンセントの外郭を成すボディとカバーの結合方向に沿って延びるように配置し、前記差込片および受容部を介して互いに連結した部分に、前記ボディとカバーの結合力を付加して、差込片と受容部との分離を抑制するようにしたことを特徴とするコンセント。
【請求項２】
前記アースターミナルと接地刃受けばねとを分離して形成し、それらの分離部分の一方に差込片を設けるとともに、他方にその差込片をばね力をもって挟持する受容部を設けて、それら差込片および受容部を介してアースターミナルと接地刃受けばねとを相互に連結するように構成したことを特徴とする請求項１に記載のコンセント。
【発明の詳細な説明】
【技術分野】
【０００１】
本発明は、アース機能を備えたコンセントに関する。
【背景技術】
【０００２】
従来の壁付コンセントとして、接地側の栓刃と電圧側の栓刃と接地極を挿入する３個１組の栓刃挿入口と、外部アース線を挿入するアース線挿入口とが設けられるとともに、コンセント内部には前記栓刃挿入口から挿入した接地極と接続する接地刃受けばねと、アース線挿入口から挿入した外部アース線と接続するアースターミナルとが設けられ、それら接地刃受けばねおよびアースターミナルを、内部アース接続部を介して内部アース線に短絡させたものが知られている（例えば、特許文献１参照）。
【特許文献１】特開平１０−３０２９１７号公報（第３−４頁、第１図）
【発明の開示】
【発明が解決しようとする課題】
【０００３】
上記従来のコンセントでは、接地刃受けばね、アースターミナルおよび内部アース接続部の各パーツは、それぞれが板材をプレス成形することにより形成されるが、それぞれの構造は複雑なものとなっており、それらを一体に形成することは著しい困難性を伴ったり、また、一体加工が不可能であったりする。このため、従来は、それぞれのパーツのうち一体成形が困難な部分を分離して形成しておき、それら分離した構成部品を加締めや溶接等によって一体に組み付ける手法が採用されていた。
【０００４】
ところが、分離したパーツの結合に加締めや溶接等の余分な結合手段が必要となるため、製品のコストアップが余儀なくされていた。
【０００５】
そこで、本発明は、アースターミナルや接地刃受けばねを部分的に分離して生産性を高めるとともに、それぞれ分離形成した部分をワンタッチで簡単に連結できるようにして、製品のコストダウンを達成することができるコンセントを得ることを目的とするものである。
【課題を解決するための手段】
【０００６】
請求項１の発明にあっては、プラグの接地極が挿入される栓刃挿入口と、外部アース線のアース線挿入口とを備え、当該栓刃挿入口から挿入した接地極に短絡する接地刃受けばねと、アース線挿入口から挿入した外部アース線を端子板と鎖錠部との間に結線するアースターミナルとを互いに連結し、それらの連結部が内部アースに接続されるコンセントにおいて、上記アースターミナルを、端子板側パーツと鎖錠部側パーツとに分離して形成し、それらパーツの分離部分の一方に差込片を設けるとともに、他方にその差込片をばね力をもって挟持する受容部を設けて、それら差込片および受容部を介して端子板側パーツと鎖錠部側パーツとを相互に連結するように構成するとともに、上記差込片および受容部を、コンセントへの取付状態において当該コンセントの外郭を成すボディとカバーの結合方向に沿って延びるように配置し、上記差込片および受容部を介して互いに連結した部分に、上記ボディとカバーの結合力を付加して、差込片と受容部との分離を抑制するようにしたことを特徴とする。
【０００８】
請求項２の発明にあっては、請求項１において、上記アースターミナルと接地刃受けばねとを分離して形成し、それらの分離部分の一方に差込片を設けるとともに、他方にその差込片をばね力をもって挟持する受容部を設けて、それら差込片および受容部を介してアースターミナルと接地刃受けばねとを相互に連結するように構成したことを特徴とする。
【発明の効果】
【０００９】
請求項１の発明によれば、端子板側パーツと鎖錠部側パーツとに分離したことで、各パーツをそれぞれ独立して簡単に形成できるとともに、それら分離した各パーツは、それらパーツの分離部分の一方に設けた差込片を他方に設けた受容部に差し込むことによりワンタッチで連結できるようになるため、各パーツの組み付け作業性を向上でき、各パーツの形成を簡単にできることと相俟って製品のコストダウンを達成することができる。
また、差込片と受容部との連結部分において、ボディとカバーの結合力を、それらの抜止め方向に付加したので、差込片と受容部との連結状態をより確実に維持することができる。
【００１１】
請求項２の発明によれば、アースターミナルと接地刃受けばねとを分離したので、それぞれを独立して簡単に形成できるとともに、それら分離したアースターミナルと接地刃受けばねは、それらの分離部分の一方に設けた差込片を他方に設けた受容部に差し込むことによりワンタッチで連結できるようになるため、それぞれの組み付け作業性を向上できることにより、製品の更なるコストダウンを達成することができる。
【発明を実施するための最良の形態】
【００１２】
以下、本発明の実施形態について図面を参照しつつ詳細に説明する。
【００１３】
（第１実施形態）図１〜図９は、本発明にかかるコンセントの第１実施形態を示し、図１は、コンセントの斜視図であり、図２は、アースターミナルの端子板側パーツと鎖錠部側パーツとを分離した斜視図、図３は、アースターミナルの端子板側パーツに鎖錠部側パーツを組み付けた斜視図、図４は、解除ボタンを組み付けたアースターミナルの斜視図、図５は、アースターミナルの鎖錠部側パーツと接地刃受けばねとの連結構造を示す斜視図である。
【００１４】
また、図６は、アースターミナルの端子板側パーツの平面図、図７は、アースターミナルの端子板側パーツに鎖錠部側パーツを組み付けた平面図、図８は、アースターミナルに解除ボタンを組み付けた平面図であり、図９は、アースターミナルにアース線を接続した状態の要部断面図である。
【００１５】
本実施形態のコンセント１は、図１に示すように、壁面への埋込式となったもので、その外郭を成す合成樹脂製のボディ２（図２参照）とカバー３とを図外の金属製の組立枠により結合して、全体的に直方体状に構成される器体４を備え、金属製の組立枠は、壁面に形成された埋込ボックス等にコンセント１を取り付けるための取付枠を兼ねている。
【００１６】
カバー３には、一対の栓刃差込口５ａ，５ｂと接地極栓刃差込口５ｃとからなる１組のプラグ差込口５が、コンセント１の長さ方向に２組並設される。また、器体４の一端側（図１中左側部）には外部アース線Ｅ（図９参照）を挿入するアース線挿入口６が設けられる。そして、そのアース線挿入口６に対応する器体４の内部には、外部アース線Ｅを接続するアースターミナル１０（図３参照）が収納される。
【００１７】
アースターミナル１０は、図２〜図４に示すように、外部アース線Ｅに接触する端子板１１と、ばね力を利用して端子板１１との間で外部アース線Ｅを挟持して外部アース線Ｅを抜止めする鎖錠部１２とを備えるとともに、この鎖錠部１２による外部アース線Ｅの抜止め状態を解除する解除ボタン１３が設けられる。このとき、本実施形態では、端子板１１、鎖錠部１２および解除ボタン１３はそれぞれが対応するように器体４の両側方向に一対配置される。
【００１８】
ここで、本実施形態では、図２に示すように、アースターミナル１０は、端子板１１を設けた端子板側パーツ１０Ａと、鎖錠部１２を設けた鎖錠部側パーツ１０Ｂとに分離され、その分離部分の一方である鎖錠部側パーツ１０Ｂに差込片１４を設けるとともに、他方である端子板側パーツ１０Ａにその差込片１４をばね力をもって挟持する受容部１５を設けて、図３に示すように、それら差込片１４および受容部１５を介して端子板側パーツ１０Ａと鎖錠部側パーツ１０Ｂとを相互に連結するようにしてある。
【００１９】
すなわち、端子板側パーツ１０Ａは、図外の内部アース線を接続する内部アース接続部１６を受容部１５を挟んで両端に一対設け、図２，図６に示すように、それら内部アース接続部１６の上側から一体に突出するように端子板１１を折曲形成してある。内部アース接続部１６は、鎖錠ばね１６ａと内部端子板１６ｂとの間に図外の内部アース線を挟持するようになっている。
【００２０】
一方、鎖錠部側パーツ１０Ｂは、図２に示すように、差込片１４を挟んで両側に一対の鎖錠部１２を設けてあり、それら鎖錠部１２は互いに離れる方向にばね力をもって突出する自由端部となっており、図３，図７に示すように、鎖錠部側パーツ１０Ｂを端子板側パーツ１０Ａに結合した状態で、鎖錠部１２の先端１２ａが端子板１１にばね力をもって近接若しくは接触するようになっている。このとき、端子板１１と鎖錠部１２の先端１２ａとの間がアース線挿入口６に対応した位置となっている。
【００２１】
鎖錠部側パーツ１０Ｂには、図５に示すように、接地極栓刃差込口５ｃに対応して器体４内部に配置される２つの接地刃受けばね１７Ａ，１７Ｂが連結される。それら接地刃受けばね１７Ａ，１７Ｂには、接地極栓刃差込口５ｃから挿入された図外のプラグの接地極が差し込まれる。
【００２２】
２つの接地刃受けばね１７Ａ，１７Ｂは、直状連結部１７ｃを介して互いに連結されるとともに、アースターミナル１０に近い線刃受けばね１７ＡはＵ字状連結部１７ｄを介して鎖錠部側パーツ１０Ｂに連結され、２つの接地刃受けばね１７Ａ，１７Ｂに差し込まれたプラグの接地極は、鎖錠部側パーツ１０Ｂおよびこれに接続した端子板側パーツ１０Ａを介して内部アース接続部１６に接続される。
【００２３】
自由端部（可動部）となった鎖錠部１２の中間部分片側には、図２に示すように、係合部１２ｂが突設され、その係合部１２ｂには解除ボタン１３の係止部１３ａが係合するようにして、図４，図８に示すように、アースターミナル１０に解除ボタン１３が上下移動可能に組み付けられる。解除ボタン１３の上端部に設けた操作部１３ｂは、図１に示すように、カバー３のアース線挿入口６近傍に開口する開口部７から突出する。
【００２４】
そして、開口部７から突出した操作部１３ｂを押し下げることにより、鎖錠部１２の先端１２ａが下降して端子板１１との間の間隔を広げることができ、その状態で外部アース線Ｅを結線することができ、また、その結線した外部アース線Ｅを外すことができる。
【００２５】
また、鎖錠部側パーツ１０Ｂの差込片１４を端子板側パーツ１０Ａの受容部１５に差し込むことにより、端子板側パーツ１０Ａ、鎖錠部側パーツ１０Ｂおよび２つの接地刃受けばね１７Ａ，１７Ｂは一体化され、これを器体４内に組み込むことになる。
【００２６】
このとき、差込片１４および受容部１５を介して互いに連結した部分、つまり、端子板側パーツ１０Ａと鎖錠部側パーツ１０Ｂとの間には、それらの抜止め方向に、コンセント１の外郭を成すボディ２とカバー３の結合力を付加するようにしてある。
【００２７】
以上の構成により、本実施形態のコンセント１によれば、端子板側パーツ１０Ａと鎖錠部側パーツ１０Ｂとに分離したことにより、複雑な形状の各パーツ１０Ａ，１０Ｂをそれぞれ独立して簡単に形成できるとともに、それら分離した各パーツ１０Ａ，１０Ｂは、鎖錠部側パーツ１０Ｂに設けた差込片１４を端子板側パーツ１０Ａに設けた受容部１５に差し込むことによりワンタッチで連結できるようになるため、各パーツ１０Ａ，１０Ｂの組み付け作業性を向上でき、それらパーツ１０Ａ，１０Ｂの形成を簡単にできることと相俟ってコンセント１のコストダウンを達成できる。
【００２８】
また、本実施形態では差込片１４および受容部１５を介して互いに連結した端子板側パーツ１０Ａと鎖錠部側パーツ１０Ｂとの間に、それらの抜止め方向に、コンセント１の外郭を成すボディ２とカバー３の結合力を付加したので、各パーツ１０Ａ，１０Ｂをより確実に結合することができる。
【００２９】
なお、本実施形態では鎖錠部側パーツ１０Ｂに差込片１４を設け、端子板側パーツ１０Ａに受容部１５を設けたが、これとは逆に端子板側パーツ１０Ａに差込片１４を設け、鎖錠部側パーツ１０Ｂに受容部１５を設けた場合にも、同様の効果を奏することができる。
【００３０】
（第２実施形態）図１０は、本発明の第２実施形態を示しており、第１実施形態と同一構成部分に同一符号を付して重複する説明を省略して述べるものとする。図１０は、アースターミナルの鎖錠部側パーツと接地刃受けばねとの連結構造を示す斜視図である。
【００３１】
本実施形態は、基本的に第１実施形態と略同様の構成を備えている。すなわち、図１０に示すように、鎖錠部側パーツ１０Ｂに２つの接地刃受けばね１７Ａ，１７Ｂが連結され、それら２つの接地刃受けばね１７Ａ，１７Ｂは直状連結部１７ｃを介して互いに連結されるとともに、アースターミナル１０に近い線刃受けばね１７ＡはＵ字状連結部１７ｄを介して鎖錠部側パーツ１０Ｂに連結されている。
【００３２】
ただし、本実施形態では、鎖錠部側パーツ１０Ｂと２つの接地刃受けばね１７Ａ，１７ＢとをＵ字状連結部１７ｄ部分で分離し、その分離部分で一方の鎖錠部側パーツ１０Ｂ側に差込片２０を設けるとともに、他方の接地刃受けばね１７Ａ側にその差込片２０をばね力をもって挟持する受容部２１を設けて、それら差込片２０および受容部２１を介してアースターミナル１０と接地刃受けばね１７Ａ，１７Ｂとを相互に連結してある。
【００３３】
したがって、本実施形態によれば、鎖錠部側パーツ１０Ｂと接地刃受けばね１７Ａ，１７Ｂとを分離したので、それら鎖錠部側パーツ１０Ｂと接地刃受けばね１７Ａ，１７Ｂの連結体とを独立して簡単に形成できるとともに、差込片２０および受容部２１を介して分離した鎖錠部側パーツ１０Ｂと接地刃受けばね１７Ａ，１７Ｂとをワンタッチで連結できるようになる。
【００３４】
ところで、本発明のスイッチを各実施形態に例をとって説明したが、本発明はこれら実施形態に限られるものではなく、要旨を逸脱しない範囲で他の実施形態を各種採用することができる。例えば、第１実施形態に示す内部アース接続部１６は、鎖錠ばね１６ａを本体側１０Ａｍから別体に形成した場合を示すが、図１１に示すように、その鎖錠ばね１６ａを本体側１０Ａｍから一体に設けることもできる。
【００３５】
また、第１実施形態では、端子板側パーツ１０Ａの端子板１１は、鎖錠部１２の先端部分を取り囲むように平面視でチャンネル状に形成したが、これに限ることなく、図１２に示すように、鎖錠部１２の先端１２ａに対向する部分のみの端子板１１Ａを本体側１０Ａｍから切り起こすことによっても形成することができる。
【００３６】
さらに、第１、第２実施形態では、鎖錠部１２を鎖錠部側パーツ１０Ｂから器体４の両側方向に突出させてあるが、これに限ることなく、図１３に示すように、鎖錠部１２Ａを器体４の前後方向に折曲してもよい。この場合、端子板１１Ｂは、図１４に示すように、端子板側パーツ１０Ａの本体側１０Ａｍから鎖錠部１２Ａの先端１２Ａａに対向するように切り起こして形成することになる。
【図面の簡単な説明】
【００３７】
【図１】本発明の第１実施形態におけるコンセントの斜視図である。
【図２】本発明の第１実施形態におけるアースターミナルの端子板側パーツと鎖錠部側パーツとを分離した斜視図である。
【図３】本発明の第１実施形態におけるアースターミナルの端子板側パーツに鎖錠部側パーツを組み付けた斜視図である。
【図４】本発明の第１実施形態における解除ボタンを組み付けたアースターミナルの斜視図である。
【図５】本発明の第１実施形態におけるアースターミナルの鎖錠部側パーツと接地刃受けばねとの連結構造を示す斜視図である。
【図６】本発明の第１実施形態におけるアースターミナルの端子板側パーツの平面図である。
【図７】本発明の第１実施形態におけるアースターミナルの端子板側パーツに鎖錠部側パーツを組み付けた平面図である。
【図８】本発明の第１実施形態におけるアースターミナルに解除ボタンを組み付けた平面図である。
【図９】本発明の第１実施形態におけるアースターミナルにアース線を接続した状態の要部断面図である。
【図１０】本発明の第２実施形態におけるアースターミナルの鎖錠部側パーツと接地刃受けばねとの連結構造を示す斜視図である。
【図１１】本発明の第１実施形態の変形例を示す端子板側パーツの斜視図である。
【図１２】本発明の第１実施形態の他の変形例を示す端子板側パーツの斜視図である。
【図１３】本発明の第１・第２実施形態に示すアースターミナルの鎖錠部側パーツの更なる他の変形例を示す斜視図である。
【図１４】本発明の第１・第２実施形態に示すアースターミナルの端子板側パーツの更なる他の変形例を示す斜視図である。
【符号の説明】
【００３８】
１  コンセント
２  ボディ
３  カバー
４  器体
５ｃ  接地極栓刃差込口
６  アース線挿入口
１０  アースターミナル
１０Ａ  端子板側パーツ
１０Ｂ  鎖錠部側パーツ
１１，１１Ａ，１１Ｂ  端子板
１２，１２Ａ  鎖錠部
１４，２０  差込片
１５，２１  受容部
１７Ａ，１７Ｂ  接地刃受けばね
Ｅ  外部アース線
【図１】
0004735233.tif 000002
【図２】
0004735233.tif 000003
【図３】
0004735233.tif 000004
【図４】
0004735233.tif 000005
【図５】
0004735233.tif 000006
【図６】
0004735233.tif 000007
【図７】
0004735233.tif 000008
【図８】
0004735233.tif 000009
【図９】
0004735233.tif 000010
【図１０】
0004735233.tif 000011
【図１１】
0004735233.tif 000012
【図１２】
0004735233.tif 000013
【図１３】
0004735233.tif 000014
【図１４】
0004735233.tif 000015